Podtech/llm-jp-corpus-v4-ja_patent huggingface dataset:
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
（ａ）少なくとも１つのミクロ開繊化セルロースと（ｂ）少なくとも１つの会合性重合体または少なくとも１つの分岐または架橋共重合体とをパルプスラリに添加する段階を備える、パルプスラリの排水性能を高めるための方法。
【請求項２】
前記少なくとも１つのミクロ開繊化セルロースと前記少なくとも１つの会合性重合体または前記少なくとも１つの分岐または架橋共重合体とを前記パルプスラリに添加する段階より前に、前記パルプスラリが抄紙機のウエットエンドに存在する、請求項１に記載の方法。
【請求項３】
前記少なくとも１つのミクロ開繊化セルロースと前記少なくとも１つの会合性重合体または前記少なくとも１つの分岐または架橋共重合体が、混合物を形成するべく、前記パルプスラリに添加され、次に前記混合物を抄紙機に導入する、請求項１に記載の方法。
【請求項４】
前記少なくとも１つのミクロ開繊化セルロースと前記少なくとも１つの会合性重合体または前記少なくとも１つの分岐または架橋共重合体は、前記少なくとも１つのミクロ開繊化セルロース対前記少なくとも１つの会合性重合体または前記少なくとも１つの分岐または架橋共重合体が、約１０：１から約１：１０までの比で添加される、請求項１から３のいずれか一項に記載の方法。
【請求項５】
前記少なくとも１つのミクロ開繊化セルロースと前記少なくとも１つの会合性重合体または前記少なくとも１つの分岐または架橋共重合体の活性固形物が、前記パルプスラリの乾燥パルプの重量に基づいて、約０．０１ｗｔ％から約１ｗｔ％までの範囲で前記パルプスラリに存在する、請求項４に記載の方法。
【請求項６】
前記少なくとも１つのミクロ開繊化セルロースと前記少なくとも１つの会合性重合体または前記少なくとも１つの分岐または架橋共重合体は、前記少なくとも１つのミクロ開繊化セルロース対前記少なくとも１つの会合性重合体または前記少なくとも１つの分岐または架橋共重合体が、約５：１から約１：２までの比で添加される、請求項１から３のいずれか一項に記載の方法。
【請求項７】
前記少なくとも１つのミクロ開繊化セルロースと前記少なくとも１つの会合性重合体または前記少なくとも１つの分岐または架橋共重合体の活性固形物が、前記パルプスラリの乾燥パルプの重量に基づいて、約０．０１ｗｔ％から約０．１５ｗｔ％までの範囲で前記パルプスラリに存在する、請求項６に記載の方法。
【請求項８】
前記会合性重合体は、数式（Ｉ）
【数Ｉ】
2018530685.tif 000001
を有するアニオン性共重合体であって、
Ｂは１または複数のエチレン性不飽和非イオン性単量体を含む非イオン性重合体セグメントであり、Ｆは１または複数のエチレン性不飽和アニオン性単量体を含むアニオン性重合体セグメントであり、Ｂ：Ｆのモル百分率比は、約９５：５から約５：９５までの範囲内である、請求項１から７のいずれか一項に記載の方法。
【請求項９】
前記少なくとも１つの分岐または架橋共重合体は、（ｉ）少なくとも１つの非イオン性単量体と、（ｉｉ）少なくとも１つのイオン性単量体と、（ｉｉｉ）少なくとも１つの分岐または架橋剤とを有する共重合体である、請求項１から８のいずれか一項に記載の方法。
【請求項１０】
前記少なくとも１つの非イオン性単量体は、アクリルアミド、メタクリルアミド、Ｎ，Ｎ‐ジアルキルアクリルアミド、Ｎ‐アルキルアクリルアミド、Ｎ‐ビニルメタアセトアミド、Ｎ‐ビニルメチルホルムアミド、Ｎ‐ビニルピロリドンおよびこれらの組み合わせから成る群から選択される、及び／又は
前記少なくとも１つのイオン性単量体は、アニオン性単量体、カチオン性単量体、又はアニオン性単量体及びカチオン性単量体である、請求項９に記載の方法。
【請求項１１】
前記アニオン性単量体は、炭素原子数１から６のアルキル基である、アクリル酸、メタクリル酸、２‐アクリルアミド‐２‐アルキルスルホン酸と、それらのアルカリ塩およびこれらの組み合わせから成る群から選択される、及び／又は
前記カチオン性単量体は、アクリルオキシエチルトリメチルアンモニウムクロリド、ジアリルジメチルアンモニウムクロリド、３‐（メタ）アクリルアミド‐プロピルトリメチルアンモニウムクロリド、３‐アクリルアミド‐プロピルトリメチルアンモニウム‐２‐ヒドロキシプロピルアクリレートメトスルフェート、トリメチルアンモニウムエチルメタクリレートメトスルフェート、１‐トリメチルアンモニウム‐２‐ヒドロキシプロピル‐メタクリレートメトスルフェート、メタクリロキシエチルトリ‐メチルアンモニウムクロリドおよびこれらの組み合わせから成る群から選択される遊離塩基または塩である、請求項１０に記載の方法。
【請求項１２】
前記少なくとも１つの分岐または架橋剤は、少なくとも２つの二重結合または１つの二重結合および１つの反応基または２つの反応基を含む１または複数の分子を含む多官能性架橋剤である、請求項９から１１のいずれか一項に記載の方法。
【請求項１３】
前記少なくとも１つの分岐または架橋剤は、Ｎ，Ｎ‐メチレンビスアクリルアミド、Ｎ，Ｎ‐メチレンビスメタクリルアミド、ポリエチレングリコールジアクリレート、ポリエチレングリコールジメタクリレート、Ｎ‐ビニルアクリルアミド、ジビニルベンゼン、トリアリルアンモニウム塩、Ｎ‐メチルアリルアクリルアミド、グリシジルアクリレート、アクロレイン、メチロールアクリルアミド、アルデヒド、ジエポキシ化合物、エピクロロヒドリン、およびこれらの組み合わせから成る群から選択される、請求項１２に記載の方法。
【請求項１４】
請求項１から１３のいずれか一項に記載の方法により製造される紙製品。
【請求項１５】
（ａ）セルロースパルプ、（ｂ）少なくとも１つのミクロ開繊化セルロースと（ｃ）少なくとも１つの会合性重合体または少なくとも１つの分岐または架橋共重合体とを備える、紙製品。
【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
天然に存在する炭水化物源物質に由来；
ＡＳＴＭ  Ｄ２８６６−１１の手順で決定して、１％未満の総灰分量；
０．５０ｇ／ｃｃから１．４０ｇ／ｃｃの範囲内の片密度；
７５０ｍ２／ｇｍより大きいＮ２  ＢＥＴ表面積；及び
２１℃、３５ｂａｒの圧力で１００Ｖ／Ｖを超えるメタン吸着容量
により特徴付けられる、熱分解炭素。
【請求項２】
微粒子形態の、請求項１に記載の熱分解炭素。
【請求項３】
モノリス形態の、請求項１に記載の熱分解炭素。
【請求項４】
ガス供給パッケージ中のガス貯蔵媒体としての、請求項１に記載の熱分解炭素。
【請求項５】
天然に存在する炭水化物源物質が二糖又は多糖を含む、請求項１に記載の熱分解炭素吸着剤。
【請求項６】
天然に存在する炭水化物源物質がラクトース、デンプン、天然ガム、キチン、キトサン、アミロース、アミロペクチン、デキストリン、マルトデキストリン、及びこれらの混合物からなる群より選択される物質を含む、請求項１に記載の熱分解炭素吸着剤。
【請求項７】
活性化型である、請求項１に記載の熱分解炭素吸着剤。
【請求項８】
活性化型が化学的及び／又は物理的活性化により活性化されている、請求項７に記載の熱分解炭素吸着剤。
【請求項９】
ＡＳＴＭ  Ｄ２８６６−１１の手順で決定して、０．５％未満の総灰分量を有する、請求項１に記載の熱分解炭素吸着剤。
【請求項１０】
吸着剤がバインダーレスである、請求項１に記載の熱分解炭素吸着剤。
【請求項１１】
請求項１に記載の吸着剤を保持するガス供給容器を含むガス供給パッケージ。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
スプール上にワイヤを正しく巻き取るための方法であって、当該方法は、
（ｆ１）専用の式によって、または、手動入力データによって、電子制御ユニットの動作パネル上で、前記スプールの主な幾何学的データを設定する工程と、
（ｆ２）マシン上に前記スプールを搬入する工程と、
（ｆ３）センサによってスプールフランジの位置を取得する工程と、
（ｆ４）前記スプールの実際の位置を計算し、前記スプールの搬入が成功したか否か、および、前記スプールが所定のものと一致しているか否かをチェックするために、前記スプールの実際の位置を、前記電子制御ユニット内に予め設定されたスプールデータと比較する工程と、
（ｆ５）前記チェックの結果が肯定的である場合には処理を継続し、前記チェックの結果が否定的である場合にはアラーム信号によって前記処理を停止して、問題を報告する工程と、
（ｆ６）前記ワイヤを前記スプールに縛り付け、特定のコマンドを作動させることにより、生産を開始する工程と、
（ｆ７）サポート／ロードセルアセンブリの形状および構造ジオメトリに従い、前記ワイヤの引っ張り動作の開始量を読み取る工程と、
（ｆ８）前記スプールデータ、製造データおよび前記ワイヤの前記引っ張り動作の開始量の読み取り値に従い、サーボダイアメターを計算する工程と、
（ｆ９）前記サーボダイアメターに従って、一定の巻き取り引っ張り動作を維持するためのスプールモーターの速度を計算する工程と、
を備え、
当該方法は、さらに
谷および／または山の存在を決定するために、ワイヤ巻き取りピッチ、および、所与の予め設定された設定位置および許容値との関連で検出された引っ張りエラーに従って、ワイヤディスペンスデバイスを動かすモーターの角速度を計算する工程を備え、
前記スプールによる巻き取り中に、前記山および／または前記谷が検出された場合、前記電子制御ユニットは、前記谷を充填するか、前記山をスキップするべく、前記ワイヤディスペンスデバイスを動かす前記モーターの前記角速度を減速するか加速するかを決定する、ことを特徴とする方法。
【請求項２】
前記スプールの前記搬入の間に前記センサによって検出された前記スプールフランジの位置、および、前記ワイヤの前記引っ張り動作の測定可能デバイスのエラーに従い、前記ワイヤディスペンスデバイスの反転位置を計算する工程をさらに備え、前記エラーは、前記山および／または谷の存在を決定するのに使用され、その決定に従い前記反転位置が変更される、ことを特徴とする請求項１に記載の方法。
【請求項３】
前記ワイヤの前記引っ張り動作の前記測定可能デバイスは、少なくともひとつのロードセルを有する、ことを特徴とする請求項２に記載の方法。
【請求項４】
前記スプール上にもつれとして巻き付いた前記ワイヤの長さを計算するための工程をさらに備える、請求項１から３のいずれか一項に記載の方法。
【請求項５】
前記マシンおよび／または製造ラインを制御するための遠隔ユニットに対して、ケーブルデータ転送、または、無線データ転送を通じて、データを転送する工程をさらに備える、請求項１から４のいずれか一項に記載の方法。
【請求項６】
スプールにワイヤを巻き取るためのマシンであって、順に、
ワイヤ送りデバイスと、
前記ワイヤの引っ張り動作を測定するための測定アセンブリと、
横方向に移動可能なプーリーを有するワイヤディスペンスデバイスと、
前記ワイヤが巻き付けられるスプールを有するスプールアセンブリと、
前記スプールの位置および前記ワイヤのもつれの形状を検出するためのセンサと、
前記ワイヤ送りデバイス、前記測定アセンブリ、前記ワイヤディスペンスデバイス、前記スプールアセンブリおよび前記センサに接続されて、スプールデータを格納しかつ前記センサによる検出結果に基づき前記プーリーの横方向の移動速度を制御するように構成された電子制御ユニットと、
を備えるマシン。
【請求項７】
前記測定アセンブリは、前記ワイヤの前記引っ張り動作を測定可能な少なくともひとつのデバイスを有する、ことを特徴とする請求項６に記載のマシン。
【請求項８】
前記ワイヤの前記引っ張り動作を測定可能な前記デバイスは、少なくともひとつのロードセルを含む、ことを特徴とする請求項７に記載のマシン。
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
酸化ケイ素の酸化アルミニウムに対するモル比が少なくとも５であり、且つ、合成されたままの形態で、下表に示すとおりのＸ線回折パターンを有する分子ふるい。
【表１】
2017532279.tif 000001
【請求項２】
前記分子ふるいが、合成されたままで且つ無水状態にて、モル比換算で、以下のような組成を有する、請求項１に記載の分子ふるい：
【表２】
2017532279.tif 000002
表中、
（１）Ｔは、Ｓｉであり；
（２）Ｘは、Ａｌであり；
（３）ｂは、Ｘの原子価状態に等しく；
（４）Ｑは、Ｎ−シクロヘキシルメチル−Ｎ−エチルピペリジニウムカチオンであり；そして
（５）Ｍは、周期表の１族及び２族からの元素からなる群から選択される。
【請求項３】
酸化ケイ素の酸化アルミニウムに対するモル比が少なくとも５であり、且つそのか焼形態で、下表に示すとおりのＸ線回折パターンを有する、分子ふるい。
【表３】
2017532279.tif 000003
【手続補正書】
【提出日】平成30年7月30日(2018.7.30)
【手続補正１】
【補正対象書類名】明細書
【補正対象項目名】発明の名称
【補正方法】変更
【補正の内容】
【発明の名称】シート形成装置、シートの厚さを測定するシステム及び材料の界面の位置を決定する方法
【手続補正２】
【補正対象書類名】明細書
【補正対象項目名】０００１
【補正方法】変更
【補正の内容】
【０００１】
本発明の実施形態は、概して装置、システム及び方法に関し、より詳しくはシート形成装置、シートの厚さを測定するシステム及び高温環境内での材料層間の材料界面の位置を決定する方法に関する。
【手続補正３】
【補正対象書類名】明細書
【補正対象項目名】００１８
【補正方法】変更
【補正の内容】
【００１８】
一つの非限定的実施形態では、装置１５は図２及び図３に示すような、シート１３の厚さを測定する超音波測定システム２０を含み得る。システム２０は、図３に示すシステム２０の正面図に最も良く示されるように、融液１０の表面の下方に横方向に間隔を置いて配置された超音波測定装置２２（以後「測定装置２２」という）のアレイを含み得る。測定装置２２の各々はそれぞれの超音波トランスデューサ２６に結合され、そこから上方に延びる細長い導波管２４を含み得る。トランスデューサ２６は、熱から保護するために、１以上の断熱材料の層２８と水冷金属３０（例えば、アルミニウム）の層によって容器１６の底面から分離し得る。
【手続補正４】
【補正対象書類名】明細書
【補正対象項目名】００１９
【補正方法】変更
【補正の内容】
【００１９】
導波管２４の上端部は容器１６の床を貫通して（又は床から）上方へ延びる保護囲い３２内に配置し得る。保護囲い３２は、例えばタングステン、窒化ホウ素、窒化アルミニウム、モリブデン、黒鉛、炭化シリコン、又は石英で形成することができ、導波管２４の最上端を導波管２４と融液１０との接触なしにシート１３より僅かに低い（例えば、＜５ｍｍ）位置まで延在させることができる。従って、保護囲い３２は融液１０を導波管２４による汚染から保護し、さらに導波管測定の分解能を導波管２４の直径（例えば、約１ｃｍ）にほぼ等しくすることができる。
【手続補正５】
【補正対象書類名】明細書
【補正対象項目名】００２１
【補正方法】変更
【補正の内容】
【００２１】
図４ｂを参照すると、各導波管２４はアルミナ−シリカ複合材（ＺＩＲＣＡＲの商品名で市販されている）又は類似の材料からなる絶縁スリーブ３４で囲み得る。絶縁スリーブ３４の内径は導波管２４の外形より大きくし得る。従って、絶縁スリーブ３４は導波管２４の周囲に環状の空気又はアルゴンガス入り空隙３６を規定しうる。加えて、溶融金属（例えば、銀、銅、アルミニウム等）の「パック」３８を各導波管２４の先端４１に、例えばカップ状のへこみ内に配置し、導波管２４と保護囲い３２の天上４２の中間に垂直方向に介在させてもよい。
【手続補正６】
【補正対象書類名】図面
【補正対象項目名】全図
【補正方法】変更
【補正の内容】
【図１】
2017532280.tif 000001
【図２】
2017532280.tif 000002
【図３】
2017532280.tif 000003
【図４ａ】
2017532280.tif 000004
【図４ｂ】
2017532280.tif 000005
【図５】
2017532280.tif 000006
【図６】
2017532280.tif 000007
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ディスプレイスクリーンの格納と展開のための第１の自動操作か、このディスプレイスクリーンの展開位置をユーザが調節するためのユーザによる調整可能な第２の操作かを、ユーザが選択する操作可能な制御機構を含み、この第１の自動操作が、その格納位置と最後に使用された展開位置との間の移動に作用する、電気的に調整可能なディスプレイスクリーンマウント。
【請求項２】
前記制御機構がスイッチ機構であり、このスイッチは展開メモリ位置を有し、このスイッチの作動により、その格納位置と最後に使用された展開位置との間の移動に作用する前記第１の自動操作を作動させる、請求項１に記載のディスプレイスクリーンマウント。
【請求項３】
前記スイッチが、ユーザが前記ディスプレイスクリーンの展開位置を調節することができるように、前記ユーザによる調整可能な第２の操作を作動させる調整モード位置を有する、請求項２に記載のディスプレイスクリーンマウント。
【請求項４】
前記調整モード位置が、２つの別個の機能を含み、一つの機能はユーザが前記スクリーンの展開位置をある方向に調整することを可能にし、もう一つの機能はその反対方向に調整することを可能にする、請求項３に記載のディスプレイスクリーンマウント。
【請求項５】
前記展開メモリ位置が、２つの機能を含み、一つの機能は前記ディスプレイスクリーンを最後に使用された展開位置に展開するように作動させ、もう一つの機能はディスプレイスクリーンを収納位置に移動させる、請求項２〜４のいずれか一項に記載のディスプレイスクリーンマウント。
【請求項６】
前記スイッチが、格納位置、前記調整モード位置に対応する戻り止め、及び展開メモリ位置を含む、請求項２〜５のいずれか一項に記載のディスプレイスクリーンマウント。
【請求項７】
前記スイッチが、前記ディスプレイスクリーンを展開するために、前記戻り止め位置を通って前記展開メモリ位置に移動される、請求項６に記載のディスプレイスクリーンマウント。
【請求項８】
前記ユーザによる調整可能な第２の操作によって、ユーザが、前記ディスプレイスクリーンの所望の展開位置を調整するために、前記スイッチが、前記戻り止め位置に移動される、請求項６又は７に記載のディスプレイスクリーンマウント。
【請求項９】
前記戻り止めが、２つの機能を有し、第１の機能は、前記戻り止め位置がある方向の傾動をもたらし、第２の機能は、前記戻り止め位置がその反対方向の傾動をもたらす、請求項６〜８のいずれか一項に記載のディスプレイスクリーンマウント。
【請求項１０】
前記スイッチが、少なくとも２つの方向に移動可能であり、このスイッチの収納位置及び展開メモリ位置が、このスイッチの反対方向の移動によってもたらされる、請求項６〜９のいずれか一項に記載のディスプレイスクリーンマウント。
【請求項１１】
前記ユーザによる調整可能な第２の操作によって、前記ディスプレイスクリーンが１５°まで回転可能である、請求項１〜１０のいずれか一項に記載のディスプレイスクリーンマウント。
【請求項１２】
前記スイッチが、更に、ユーザの入力がないときに前記スイッチが移動する中立位置を備える、請求項２〜１１のいずれか一項に記載のディスプレイスクリーンマウント。
【請求項１３】
前記第１の自動操作が、前記ユーザによる調整可能な第２の操作よりも速く前記ディスプレイスクリーンを移動させる、請求項１〜１２のいずれか一項に記載のディスプレイスクリーンマウント。
【請求項１４】
請求項１〜１３のいずれか一項に記載のディスプレイスクリーンマウントを有するシートであって、前記スクリーンの展開位置をユーザが調整することにより、前記ディスプレイスクリーンマウントに取り付けられたディスプレイスクリーンの基部が、シートの後部から縦方向に離れるように移動し、及び／又はディスプレイスクリーンの支持部に取り付けられたディスプレイスクリーンの上部が、ヘッドレストに向かって縦方向に移動する、シート。
【請求項１５】
シートの裏側から縦方向に離れるような前記基部の移動、及び／又はヘッドレストに向かう縦方向の前記上部の移動が、展開方向の軸方向への移動と同時に起こる請求項１４に記載のシート。
【請求項１６】
前記調節可能なディスプレイスクリーンマウントの後退方向への移動が、前記スクリーンの前記基部の前記シートの後部への対応する移動と連携し、及び／又は前記スクリーンの上部がヘッドレストから離れるような対応する移動と連携する、請求項１４又は１５に記載のシート。
【請求項１７】
シートの後ろの乗客が見るために、請求項１〜１３のいずれか一項に記載のディスプレイスクリーンマウントがシートの後部に設けられたシート。
【請求項１８】
請求項１４〜１７のいずれか一項に記載のシートを備える車両。
【請求項１９】
自動車である請求項１８に記載の車両。
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
フィルタ基材用の支持シートであって、
熱可塑性プラスチック、フッ素プラスチック材料から押し出し成型され、前記熱可塑性プラスチック、フッ素プラスチック材料は連続する平坦なベースセクションを含み、前記ベースセクションが、対向する外面と、少なくとも１つの前記外面から、予め決定された所要のパターンで外方に伸延する離間されたリブとを有し、各前記リブは外遠端及び内近端を含み、前記内近端は前記ベースセクションの外面と連続され、前記離間されたリブは、それらリブが伸延する外面と協働して、隣り合うリブとの間に外面セグメントを提供し、前記外面セグメントは前記離間された隣り合うリブで境界付けされた連続する流れチャネルを提供し、前記支持シートは前記支持シートの前記リブの予め決定されたパターンによっては影響されない予め決定されたパターンでその全体の厚みを貫いてパンチ加工された孔をさらに含み、前記孔の予め決定されたパターンはリブ及びリブ間の外面セグメントを貫いて伸延する孔を含み、前記リブ及び孔付きのシートは被ろ過材料を含有する流体を前記流れチャネルに沿って、且つ、前記孔を貫いて前記フィルタ基材内に配向することを特徴とするフィルタ基材用の支持シート。
【請求項２】
前記離間するリブは前記連続するベースセクションの両外面から、所要のパターンで外方に伸延することをさらに特徴とする請求項１に記載のフィルタ基材用の支持シート。
【請求項３】
前記隣り合うリブ間の複数の前記チャネルが前記支持シートに沿って直線状に延伸されることをさらに特徴とする請求項１に記載のフィルタ基材用の支持シート。
【請求項４】
前記リブが、前記支持シートにおいて妨害されることなく前記支持シートに沿って連続的に延伸されることをさらに特徴とする請求項１に記載のフィルタ基材用の支持シート。
【請求項５】
注型された、無配向の形態を有することを特徴とする請求項１に記載のフィルタ基材用の支持シート。
【請求項６】
請求項１に記載されるフィルタ構造用の支持シートの形成方法であって、
熱可塑性プラスチック、フッ素プラスチック材料の基材を連続するシートの状態で押し出し成型ダイに通して押し出し成型するステップ、
前記シートが硬化する以前に前記シートを、外方に伸延する突起を持たない外面を有する対向するローラにより提供されるニップ領域を通過させ、前記対向するローラの前記外面の少なくとも一方が皿穴状溝を含み、前記一方のローラの前記皿穴状溝が前記ニップ領域の他方の前記ローラの外面あるいは皿穴状溝と整列され、かくして前記連続するシートが、平坦な連続するベースセクションと、前記ベースセクションの少なくとも１つの外面から、所要のパターンで外方に直立状に伸延するリブとを有するリブ付きシートに形成されるステップ、
前記リブ付きのシートを硬化させるステップ、
前記ステップの後、前記直立状のリブのパターンによって影響されない予め決定されたパターンで、パンチ加工により前記リブ付きのシートの全体の厚みを貫いて予め決定されたパターンで孔を形成するステップ、
を特徴とする方法。
【請求項７】
硬化された、前記リブ付きのシートは無配向の、注型されたシートである請求項６に記載の方法。
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
フロントガラスパネル（１１）及び前記フロントガラスパネル（１１）を支持する支持構造体（１２）を有するフロントガラスパネル群（１１，１２）と、
ワイパー群（２０）と、
を備え、
前記ワイパー群（２０）は、ワイパ（１３）と、ワイパ（１３）を作動させる駆動モータ群（１４）と、液体用のタンク（１５）と、タンク（１５）に作動的に接続されたポンプ（１６）とを備え、
前記ワイパー群（２０）は、フロントガラスパネル群（１１，１２）によって支持され、車両に取外可能に連結されている、車両（１）のためのフロントガラス組立体（１０）。
【請求項２】
前記車両（１）は、電動自転車、オートバイ、モペット、スクーター、トライク、ATV（四輪車/三輪車）、ジェットスキー 、スノーモービルから選択される車両である、請求項１に記載のフロントガラス組立体（１０）。
【請求項３】
前記車両（１）は、車両フレームと、ハンドルバーと、を備え、前記支持構造体（１２）は、前記車両フレーム又は前記ハンドルバーに取外可能に固定でき、前記駆動モータ群（１４）、前記タンク（１５）及び前記ポンプ（１６）は、前記支持構造体（１２）によって支持されている、請求項１又は２に記載のフロントガラス組立体（１０）。
【請求項４】
前記タンク（１５）は前記支持構造体（１２）に固定され、前記駆動モータ群（１４）及び前記ポンプ（１６）はタンク（１５）に支持されている、請求項３に記載のフロントガラス組立体（１０）。
【請求項５】
前記タンク（１５）は、前記駆動モータ群（１４）が収容される収容凹部（２１）を形成されている、請求項１から４のいずれか１項に記載のフロントガラス組立体（１０）。
【請求項６】
前記駆動モータ群（１４）と前記ポンプ（１６）との間の少なくとも１箇所に動作可能に接続された少なくとも１つのクイックカップリング電気コネクタを備え、前記少なくとも１つのクイックカップリング電気コネクタが、 前記車両（１）に設けた相補的な高速カップリング電気コネクタと接続されるように構成されている、請求項１から５のいずれか１項に記載のフロントガラス組立体（１０）。
【請求項７】
前記駆動モータ群（１４）及び前記ポンプ（１６）を制御する制御要素を備え、前記タンクは、前記制御要素のためのハウジングシート（３０）を有する、請求項１から６のいずれか１項に記載のフロントガラス組立体（１０）。
【請求項８】
前記ワイパー群（２０）は、前記ワイパー（１３）を有するパンタグラフ機構（１３０）を備えている、請求項１から７のいずれか１項に記載のフロントガラス組立体（１０）。
【請求項９】
前記駆動モータ群（１４）は、前記フロントガラスパネル（１１）を貫通して前記ワイパ（１３）に動作可能に連結された駆動シャフト（１４２）を備えている、請求項１から８のいずれか１項に記載のフロントガラス組立体（１０）。
【請求項１０】
前記支持構造体（１２）は、取外可能に取り付けるために前記車両フレームに設けた対応する第２の連結要素と協働するように適合された第１の連結要素（１２１）を有し、フロントガラス組立体（１０）は、前記タンク（１５）を前記支持構造体（１２）に取外可能に取り付けるための接続要素（１２２，１２３）を備え、前記接続要素（１２２，１２３）は、前記支持構造体（１２）に設けた第１の接続要素（１２２）を有する、請求項１から９のいずれか１項に記載のフロントガラス組立体（１０）。
【請求項１１】
前記支持構造体（１２）は、前記フロントガラスパネル（１１）に結合された略「Ｕ」形状をした支持アーム（１２４）と、前記支持アーム（１２４）に一体化された複数の取付ブラケット（１２５）とを備え、前記各取付ブラケット（１２５）は、前記第１の連結要素（１２１）の少なくとも１つと、前記第１の接続要素（１２２）の少なくとも１つとを備えている、請求項１０に記載のフロントガラス組立体（１０）。
【請求項１２】
前記各取付ブラケット（１２５）は、支持アーム（１２４）に対して突出する少なくとも１つの取付部と、前記第１の接続要素（１２２）の少なくとも１つと、を備えている、請求項１１に記載のフロントガラス組立体（１０）。
【請求項１３】
前記各取付ブラケット（１２５）は、前記第１の接続要素（１２１）の少なくとも１つを有すると共に、前記第１の連結要素（１２１）の少なくとも１つを備える前記取付部に対して反対方向又はほぼ反対方向に前記支持アーム（１２４）から突出する追加の取付部をさらに備えている、請求項１２に記載のフロントガラス組立体（１０）。
【請求項１４】
前記車両（１）は、二輪/三輪/四輪の車両であり、オートバイ、モペット、三輪車又は四輪車として認定されている、請求項１に記載のフロントガラス組立体（１０）。
【請求項１５】
前記請求項１から１４のいずれか１項に記載のフロントガラス組立体（１０）が設けられた車両（１）。
【手続補正２】
【補正対象書類名】明細書
【補正対象項目名】発明の名称
【補正方法】変更
【補正の内容】
【発明の名称】車両のためのフロントガラス組立体
【手続補正書】
【提出日】平成30年8月8日(2018.8.8)
【手続補正１】
【補正対象書類名】特許請求の範囲
【補正対象項目名】全文
【補正方法】変更
【補正の内容】
【特許請求の範囲】
【請求項１】
治療有効量の、選択的オキシトシン受容体アゴニストまたはその薬学的に許容される塩を含有する、プラダー・ウィリー症候群を治療するための医薬組成物。
【請求項２】
選択的オキシトシン受容体が、式（Ｉ）の化合物である、請求項１に記載の医薬組成物：
【化１】
2017532316.tif 000001
式中、
ＷおよびＸの各々は、独立して、ＣＨ２およびＳであり、ただし、ＷおよびＸが両方ともＣＨ２であることはなく；
Ａは、側鎖上で５または６員複素芳香環で置換されているアラニン；チロシン；および、フェニル環上でハロゲン、Ｃ１〜４アルコキシ、Ｃ１〜４アルキルヒドロキシ、Ｃ１〜４アルキル、またはアミノで置換されているフェニルアラニンからなる群より選択されるアミノ酸であり；
Ｂは、イソロイシン；および、α−炭素がＣ４〜６シクロアルキルで置換されているグリシンからなる群より選択されるアミノ酸であり；
Ｃは、側鎖上でヒドロキシル、Ｃ１〜４アルコキシ、ハロゲン、またはアジドで置換されていてもよいプロリン、および、ヘテロ原子に割り込まれていてもよい側鎖を有し、該割り込まれていてもよい側鎖がＣ１〜４アルキルで置換されていてもよいプロリンからなる群より選択されるアミノ酸であり；
Ｄは、ロイシン；ホモロイシン；イソロイシン；および、α−炭素がＣ４〜６シクロアルキルで置換されているグリシンからなる群より選択されるアミノ酸であり；
Ｅは、グリシンおよびアザグリシンからなる群より選択されるアミノ酸である。
【請求項３】
ＷがＣＨ２であり、ＸがＳである、請求項２に記載の医薬組成物。
【請求項４】
Ａがフェニル環上でＣ１〜４アルコキシで置換されているフェニルアラニンである、請求項３に記載の医薬組成物。
【請求項５】
Ａがフェニル環上の４位においてＯＣＨ３で置換されているフェニルアラニンである、請求項４に記載の医薬組成物。
【請求項６】
式（Ｉ）の化合物がカルベトシンである、請求項５に記載の医薬組成物。
【請求項７】
選択的オキシトシン受容体が、式（ＩＩ）の化合物である、請求項１に記載の医薬組成物：
【化２】
2017532316.tif 000002
式中、
ｎは、０、１、または２であり；
ｐは、０、１、２、３、４、５、または６であり；
Ｒ１は、少なくとも１つのＯＨ、Ｆ、Ｃｌ、Ｂｒ、アルキル、またはＯ−アルキル置換基で置換されていてもよいアリールであり；
Ｒ２は、Ｒ４、Ｈ、アルキル、シクロアルキル、アリール、５員複素芳香環系、または６員複素芳香環系であり；
Ｒ３は、Ｈ、または、Ｒ２がＲ４である場合、環構造を形成するためのＲ２に対する共有結合であり、
Ｒ４は、少なくとも１つのＯ−アルキル、Ｓ−アルキル、またはＯＨ置換基で置換されているＣ１〜６アルキレン部分であり；
ＷおよびＸの各々は、独立して、ＣＨ２およびＳであり、ただし、ＷおよびＸが両方ともＣＨ２であることはなく；
アルキルは、Ｃ１〜６直鎖またはＣ４〜８分枝鎖アルキルであり、かつ、少なくとも１つのヒドロキシル置換基を有していてもよく；
アリールは、非置換または置換フェニルであり；
シクロアルキルはＣ３〜６シクロアルキルであり、かつ、少なくとも１つのヒドロキシル置換基を有していてもよい。
【請求項８】
鼻腔内投与される、請求項１に記載の医薬組成物。
【請求項９】
１日３回投与される、請求項８に記載の医薬組成物。
【請求項１０】
各投与が、約１ｍｇ〜約１０ｍｇの選択的オキシトシン受容体アゴニストを送達する、請求項９に記載の医薬組成物。
【請求項１１】
各投与が食前に行われる、請求項９に記載の医薬組成物。
【請求項１２】
約０．５ｍｇ〜約３０ｍｇの１日用量の選択的オキシトシン受容体アゴニストを投与する、請求項１に記載の医薬組成物。
【請求項１３】
約５．７６ｍｇ〜約２８．８ｍｇの１日用量の選択的オキシトシン受容体アゴニストを投与する、請求項１に記載の医薬組成物。
【請求項１４】
約１０ｍｇ〜約２８．８ｍｇの１日用量の選択的オキシトシン受容体アゴニストを投与する、請求項１に記載の医薬組成物。
【請求項１５】
約２８．８ｍｇの１日用量のカルベトシンを投与する、請求項１に記載の医薬組成物。
【請求項１６】
水溶液を含有し、選択的オキシトシン受容体アゴニストが該水溶液に溶解している、請求項１に記載の医薬組成物。
【請求項１７】
塩化ナトリウム水溶液を含有する、請求項１６に記載の医薬組成物。
【請求項１８】
水溶液が約０．９重量％の塩化ナトリウムを含有する、請求項１７に記載の医薬組成物。
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
Patched受容体薬物排出活性をインビトロ又はエクスビボで低下させる又は阻害するための、パニセイン化合物又はその誘導体若しくは類似体の使用。
【請求項２】
パニセイン化合物が、式（Ｉ）：
【化１】
2017532359.tif 000001
［式中、
−  Ｒ１は、Ｈ、Ｃ１−Ｃ６アルキル、Ｃ１−Ｃ６アミノアルキル、Ｃ１−Ｃ６ヒドロキシアルキル、Ｃ１−Ｃ６ハロゲノアルキル又は−ＯＲ４であり、
−  Ｒ２は、Ｈ又はＣ１−Ｃ６アルキルであり、
−  Ｒ３は、Ｃ１−Ｃ６アルキル、−ＣＨ２ＯＲ４、−Ｃ（＝Ｏ）Ｒ４、−Ｃ（＝Ｏ）ＯＲ４、−Ｃ（＝Ｏ）ＮＨＲ４又は−ＣＨ２ＮＨＲ４であり、
−  各Ｒ４は、独立して、−Ｈ又はＣ１−Ｃ６アルキルであり、
−  Ｒは、下記：
【化２】
2017532359.tif 000002
［式中、
−  結合（１）及び（２）は、互いに独立して、単結合又は二重結合であり、好ましくは、結合（１）及び（２）は、同時に二重結合ではなく、
−  Ｒ５は、結合（１）が単結合である場合に存在する。存在する場合、Ｒ５は、−Ｈ又は−ＯＲ６を表し、そして
−  存在する場合、各Ｒ６は、独立して、Ｈ又はＣ１−Ｃ６アルキルである］からなる群において選択される］で示される化合物又はその薬学的に許容し得る塩である、
請求項１記載の使用。
【請求項３】
式（Ｉ）の化合物が、Ｒが下記：
【化３】
2017532359.tif 000003
［存在する場合、各Ｒ６及びＲ５は、請求項１で定義されたとおりであり、好ましくは、Ｒ６は、Ｈであり、そしてＲ５は、Ｈ又はＯＨである］からなる群より選択されるような化合物である、請求項１又は２記載の使用。
【請求項４】
式（Ｉ）の化合物が、以下の特徴：
ｉ．   Ｒ１は、Ｈ、Ｃ１−Ｃ６アルキル又は−ＯＲ４であり、及び／又は
ii．   Ｒ２は、Ｈ又はＣ１−Ｃ６アルキルであり、及び／又は
iii．  Ｒ３は、Ｃ１−Ｃ６アルキル、−ＣＨ２ＯＲ４又は−Ｃ（＝Ｏ）Ｒ４であり、及び／又は
iv．   各Ｒ４は、独立して、−Ｈ又はＣ１−Ｃ６、好ましくは、Ｃ１−Ｃ３アルキルである、
の１つ又はいくつかを含む、請求項１〜３のいずれか一項記載の使用。
【請求項５】
式（Ｉ）の化合物が、パニセインＣ、パニセインＢ３、パニセインＢ２及びパニセインＡヒドロキノンより選択される、請求項１〜４のいずれか一項記載の使用。
【請求項６】
該薬物が化学療法薬である、請求項１〜５のいずれか一項記載の使用。
【請求項７】
対象におけるガンの処置に使用するための、ガン転移の予防に使用するための、及び／又はガン再発の予防に使用するための、パニセイン化合物及び薬学的に許容し得る担体を含む医薬組成物であって、少なくとも１つの化学療法薬と組み合わせて用いられる、医薬組成物。
【請求項８】
ガン細胞がPatched受容体を発現する、請求項７記載の医薬組成物。
【請求項９】
ガンが、メラノーマ、乳ガン、甲状腺ガン、前立腺ガン、結腸ガン、直腸ガン、食道ガン、胃ガン、卵巣ガン、肺ガン、膵臓ガン、神経膠腫、副腎皮質癌腫、小児固形腫瘍、白血病、多発性骨髄腫及び肉腫より選択される、請求項８記載の医薬組成物。
【請求項１０】
少なくとも1つの化学療法薬が、シスプラチン、ドキソルビシン、メトトレキサート、テモゾロマイド、５−ＦＵ、ダカルバジン及びベムラフェニブより選択される、請求項７〜９のいずれか一項記載の医薬組成物。
【請求項１１】
対象が哺乳動物、好ましくはヒトである、請求項７〜１０のいずれか一項記載の医薬組成物。
【請求項１２】
対象がガンに罹患し、かつ化学療法に対して耐性のヒトである、請求項１１記載の医薬組成物。
【請求項１３】
同時に、別々に又は逐次的に使用されるべき少なくとも１つのパニセイン化合物及び少なくとも１つの化学療法薬を含む、組成物。
【請求項１４】
対象におけるガンの処置に使用するための、ガン転移の予防に使用するための、及び／又はガン再発の予防に使用するための、請求項１３記載の組成物。
【請求項１５】
別個の容器に入った少なくとも１つのパニセイン化合物及び少なくとも１つの化学療法薬を含む、キット。
【請求項１６】
請求項１３又は１４記載の組成物を調製するための、請求項１５記載のキットの使用。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
エルシグルチド処方で治療有効量のエルシグルチドを含む、抗癌化学療法を必要とする対象における抗癌化学療法に起因するグレード２以上の下痢の発症又は重症度を予防又は軽減するための医薬組成物。
【請求項２】
前記エルシグルチド処方は、エルシグルチドの毎日の投与を、化学療法サイクルの開始時に始めて４日間連続して行うことを含む、請求項１に記載の医薬組成物。
【請求項３】
エルシグルチド処方で治療有効量のエルシグルチドを含む、抗癌化学療法を必要とする対象において抗癌化学療法に起因する消化管（ＧＩ）傷害及び／又は機能異常を予防又は軽減するための医薬組成物。
【請求項４】
前記エルシグルチド処方は、エルシグルチドの毎日の投与を、化学療法サイクルの開始時に開始し、化学療法サイクルの終了前に終了する複数の連続した日数の間行うことを含む、請求項３に記載の医薬組成物。
【請求項５】
前記エルシグルチド処方が、２〜６日間毎日のエルシグルチド投与を含み、前記化学療法サイクルが８〜２４日間である、請求項１〜４のいずれか１項に記載の医薬組成物。
【請求項６】
抗前記癌化学療法に関連するＧＩ傷害及び／又は機能異常が、消化管粘膜炎又は化学療法誘発性下痢（ＣＩＤ）である、請求項３に記載の医薬組成物。
【請求項７】
前記エルシグルチドが、前記化学療法サイクルの開始時から少なくとも最初の４日間連続して投与される、請求項１〜４のいずれか１項に記載の医薬組成物。
【請求項８】
前記エルシグルチドが、化学療法の２つのサイクルについて、各化学療法サイクルの開始時に始めて最初の４日間連続して投与される、請求項１〜４のいずれか１項に記載の医薬組成物。
【請求項９】
前記化学療法サイクルが最大１４日間の長さである、請求項１〜４のいずれか１項に記載の医薬組成物。
【請求項１０】
前記エルシグルチドの治療有効量が約１０〜４０ｍｇ／日である、請求項１〜４のいずれか１項に記載の医薬組成物。
【請求項１１】
前記抗癌化学療法が、代謝拮抗物質、アルキル化剤、抗癌性抗生物質、微小管標的化剤、トポイソメラーゼ阻害剤、アルカロイド、抗体、ピリミジン類似体、プリン類似体、プリン類似体、葉酸アンタゴニスト、エピジポドフィロトキシン、ＤＮＡ傷害剤、抗血小板剤、白金配位化合物、ホルモン類、ホルモン類似体、アロマターゼ阻害剤、抗血管新生化合物、増殖因子阻害剤、アンギオテンシン受容体遮断薬、一酸化窒素供与体、アンチセンスオリゴヌクレオチド、細胞サイクル抑制剤、分化誘導剤、ｍＴＯＲ阻害剤、ミトコンドリア機能異常誘導剤、クロマチン破壊物質からなる群から選択される１又は２以上の化合物の投与を含む、請求項１〜４のいずれか１項に記載の医薬組成物。
【請求項１２】
前記抗癌化学療法が、５−フルオロウラシル（５−ＦＵ）、フロクスウリジン、カペシタビン、ゲムシタビン、シタラビン、イリノテカン、ドキソルビシン（アドリアマイシン）、アムサクリン、カンプトテシン、ダウノルビシン、ダクチノマイシン、エニポシド、エピルビシン、エトポシド、イダルビシン、ミトキサントロン、トポテカン、ラパチニブ、オキサリプラチン、シスプラチン、カルボプラチン、フォリン酸、メトトレキセート、エルロチニブ、ソラフェニブ、及びラパチニブからなる群から選択される１又は２以上の化合物の投与を含む、請求項１〜４のいずれか１項に記載の医薬組成物。
【請求項１３】
前記抗癌化学療法が、セツキシマブ、ベバシズマブ、及び／又はパニツムマブと組み合わせたオキサリプラチン又はイリノテカンの投与を含む、請求項１〜４のいずれか１項に記載の医薬組成物。
【請求項１４】
抗癌化学療法剤が、各化学療法サイクルの開始から少なくとも最初の連続２日間に投与される、請求項１〜４のいずれか１項に記載の医薬組成物。
【請求項１５】
前記エルシグルチドが皮下（ｓ.ｃ.）投与される、請求項１〜４のいずれか１項に記載の医薬組成物。
【請求項１６】
前記エルシグルチドが、静脈内又は腹腔内に投与される、請求項１〜４のいずれか１項に記載の医薬組成物。
【請求項１７】
前記対象が、Eastern Cooperative Oncology Group（ＥＣＯＧ）に従う２以下の全身状態（performance status）を有する癌を有する、請求項１〜４のいずれか１項に記載の医薬組成物。
【請求項１８】
エルシグルチド処方で治療有効量のエルシグルチドを含む、抗癌化学療法を必要とする対象における抗癌化学療法剤の投与に起因する消化管（ＧＩ）傷害及び／又は機能異常を予防又は軽減するための医薬組成物であって、前記エルシグルチド処方が、抗癌化学療法剤の投与の前、投与中、又は投与後に始まる複数の連続した日数の間、エルシグルチドの毎日の投与を含む、医薬組成物。
【請求項１９】
治療有効量のエルシグルチドを含む、化学療法を受けている対象のシトルリンレベルを維持することによって、ＧＩ傷害を予防又は軽減するための医薬組成物。
【請求項２０】
前記化学療法が化学療法のサイクルを含み、前記治療有効量のエルシグルチドが、化学療法サイクルの開始時に始まる複数の連続した日数の間、エルシグルチドの毎日の投与を含む、請求項１９に記載の医薬組成物。
【手続補正書】
【提出日】平成30年9月4日(2018.9.4)
【手続補正１】
【補正対象書類名】特許請求の範囲
【補正対象項目名】請求項４
【補正方法】変更
【補正の内容】
【請求項４】
Ｒ１が以下のものから選択される、請求項１に記載の化合物またはその塩。
【化５】
2017532302.tif 000001
【手続補正２】
【補正対象書類名】明細書
【補正対象項目名】０４３７
【補正方法】変更
【補正の内容】
【０４３７】
ＴＥＶ−ｈＬｅｐｔｉｎ−ＧＡｏｐｔ−２ｘｈＢＧ−１２０Ａ（配列番号１）
配列機能要素：
タバコＥｔｃｈウイルス（ＴＥＶ）５’ＵＴＲ：１４〜１５４
最適コザック配列：１５５〜１６３
ＧｅｎｅＡｒｔにより最適化されたタンパク質受託番号ＮＰ＿０００２２１、配列コドンのアミノ酸１〜１６７をコードするヒトレプチン：１６４〜６６４
２ストップコドン：６６５〜６７０
ヒトベータ−グロビン３’ＵＴＲの２コピー：６８９〜９５４
１２０ヌクレオチドポリＡ尾部：９６１〜１０８０
【手続補正３】
【補正対象書類名】明細書
【補正対象項目名】配列表
【補正方法】追加
【補正の内容】
【配列表】
2017532302000001.app
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
１〜２０個（ｎ＝１〜２０）のキーホールリンペットヘモシアニン（ＫＬＨ）部分と共有結合により連結した複数のＧｌｏｂｏ  Ｈ部分を含む組成物であって、前記Ｇｌｏｂｏ  Ｈ部分が、前記ＫＬＨ部分と１個または複数のアミノ酸残基において共有結合により結合している、組成物。
【請求項２】
前記アミノ酸残基が、塩基性、中性、疎水性アミノ酸残基および／またはそれらの組合せである、請求項１に記載の組成物。
【請求項３】
前記アミノ酸残基が、リシン、アルギニン、ヒスチジン、アスパラギン、プロリン、グルタミンおよび／またはそれらの組合せである、請求項１に記載の組成物。
【請求項４】
前記ＫＬＨ部分が、単量体（ｎ＝１）である、請求項１に記載の組成物。
【請求項５】
前記ＫＬＨ部分が、二量体（ｎ＝２）である、請求項１に記載の組成物。
【請求項６】
前記ＫＬＨ部分が、三量体（ｎ＝３）である、請求項１に記載の組成物。
【請求項７】
前記ＫＬＨ部分が、四量体（ｎ＝４）である、請求項１に記載の組成物。
【請求項８】
前記ＫＬＨ部分が、五量体（ｎ＝５）である、請求項１に記載の組成物。
【請求項９】
前記ＫＬＨ部分が、六量体（ｎ＝６）である、請求項１に記載の組成物。
【請求項１０】
前記ＫＬＨ部分が、七量体（ｎ＝７）である、請求項１に記載の組成物。
【請求項１１】
前記ＫＬＨ部分が、八量体（ｎ＝８）である、請求項１に記載の組成物。
【請求項１２】
前記ＫＬＨ部分が、九量体（ｎ＝９）である、請求項１に記載の組成物。
【請求項１３】
前記ＫＬＨ部分が、十量体（ｎ＝１０）である、請求項１に記載の組成物。
【請求項１４】
前記ＫＬＨ部分が、十一量体（ｎ＝１１）である、請求項１に記載の組成物。
【請求項１５】
前記ＫＬＨ部分が、十二量体（ｎ＝１２）である、請求項１に記載の組成物。
【請求項１６】
前記ＫＬＨ部分が、十三量体（ｎ＝１３）である、請求項１に記載の組成物。
【請求項１７】
前記ＫＬＨ部分が、十四量体（ｎ＝１４）である、請求項１に記載の組成物。
【請求項１８】
前記ＫＬＨ部分が、十五量体（ｎ＝１５）である、請求項１に記載の組成物。
【請求項１９】
前記ＫＬＨ部分が、十六量体（ｎ＝１６）である、請求項１に記載の組成物。
【請求項２０】
前記ＫＬＨ部分が、十七量体（ｎ＝１７）である、請求項１に記載の組成物。
【請求項２１】
前記ＫＬＨ部分が、十八量体（ｎ＝１８）である、請求項１に記載の組成物。
【請求項２２】
前記ＫＬＨ部分が、十九量体（ｎ＝１９）である、請求項１に記載の組成物。
【請求項２３】
前記ＫＬＨ部分が、二十量体（ｎ＝２０）である、請求項１に記載の組成物。
【請求項２４】
前記ＫＬＨ部分が互いに同じである、請求項１に記載の組成物。
【請求項２５】
前記ＫＬＨ部分が互いに異なる、請求項１に記載の組成物。
【請求項２６】
各ＫＬＨ部分が、同じ数のＧｌｏｂｏ  Ｈ部分を有する、請求項１に記載の組成物。
【請求項２７】
各ＫＬＨ部分が、異なる数のＧｌｏｂｏ  Ｈ部分を有する、請求項１に記載の組成物。
【請求項２８】
前記Ｇｌｏｂｏ  Ｈ部分が、（Ｆｕｃα１→２Ｇａｌβ１→３ＧａｌＮＡｃβ１→３Ｇａｌα１→４Ｇａｌβ１→４Ｇｌｃ）を含む、請求項１に記載の組成物。
【請求項２９】
前記ＫＬＨ部分サブユニットが、配列番号１のものである、請求項１に記載の組成物。
【請求項３０】
前記ＫＬＨ部分サブユニットが、対応する配列番号１のＫＬＨ部分と少なくとも９５％同一である、請求項１に記載の組成物。
【請求項３１】
前記ＫＬＨ部分サブユニットが、対応する配列番号１のＫＬＨ部分と少なくとも９０％同一である、請求項１に記載の組成物。
【請求項３２】
前記ＫＬＨ部分サブユニットが、対応する配列番号１のＫＬＨ部分と少なくとも８０％同一である、請求項１に記載の組成物。
【請求項３３】
前記ＫＬＨ部分サブユニットが、配列番号２のものである、請求項１に記載の組成物。
【請求項３４】
前記ＫＬＨ部分サブユニットが、対応する配列番号２のＫＬＨ部分と少なくとも９５％同一である、請求項１に記載の組成物。
【請求項３５】
前記ＫＬＨ部分サブユニットが、対応する配列番号２のＫＬＨ部分と少なくとも９０％同一である、請求項１に記載の組成物。
【請求項３６】
前記ＫＬＨ部分サブユニットが、対応する配列番号２のＫＬＨ部分と少なくとも８０％同一である、請求項１に記載の組成物。
【請求項３７】
キーホールリンペットヘモシアニン（ＫＬＨ）部分サブユニットと共有結合により連結したＧｌｏｂｏ  Ｈ部分が、４−（４−Ｎ−マレイミドメチル）シクロヘキサン−１−カルボキシルヒドラジド（ＭＭＣＣＨ）連結によって連結している、請求項１に記載の組成物。
【請求項３８】
少なくとも１５０：１のエピトープ比を有する、請求項１に記載の組成物。
【請求項３９】
少なくとも１２５：１のエピトープ比を有する、請求項１に記載の組成物。
【請求項４０】
少なくともまたは約１００：１のエピトープ比を有する、請求項１に記載の組成物。
【請求項４１】
少なくとも７５：１のエピトープ比を有する、請求項１に記載の組成物。
【請求項４２】
少なくとも５０：１のエピトープ比を有する、請求項１に記載の組成物。
【請求項４３】
少なくとも２５：１のエピトープ比を有する、請求項１に記載の組成物。
【請求項４４】
少なくとも１０：１のエピトープ比を有する、請求項１に記載の組成物。
【請求項４５】
少なくとも１：１のエピトープ比を有する、請求項１に記載の組成物。
【請求項４６】
それを必要とする患者においてがんを処置するための、請求項１に記載の組成物。
【請求項４７】
前記がんが、乳がん、肺がん、胃がん（ｇａｓｔｒｉｃ  ｃａｎｃｅｒ）、結腸がん、膵がん、前立腺がん、卵巣がん、上皮がんまたは子宮体がんである、請求項４６に記載の組成物。
【請求項４８】
前記がんが、Ｇｌｏｂｏ  Ｈ発現がんである、請求項４６に記載の組成物。
【請求項４９】
治療または診断に使用するためのモノクローナル抗体を創出するために対象において抗体を誘導するための、請求項１に記載の組成物。
【請求項５０】
前記対象が、動物またはヒトである、請求項４９に記載の組成物。
【請求項５１】
（ａ）１個または複数のＫＬＨ部分サブユニットと共有結合により連結した複数のＧｌｏｂｏ  Ｈ部分と、
（ｂ）α−ガラクトシル−セラミド（α−ＧａｌＣｅｒ）アジュバントと
を含む医薬組成物。
【請求項５２】
前記α−ＧａｌＣｅｒアジュバントが以下の構造：
【化１４】
2017532310.tif 000001
を有する、請求項５１に記載の組成物。
【請求項５３】
前記ＫＬＨ部分が、単量体、二量体、三量体、四量体、五量体、六量体、六量体、七量体、八量体、九量体、十量体、十一量体、十二量体、十三量体、十四量体、十五量体、十六量体、十七量体、十八量体、十九量体または二十量体を形成し得る、請求項５１に記載の組成物。
【請求項５４】
治療または診断に使用するためのモノクローナル抗体を創出するために、対象において抗体を誘導するための、請求項５１に記載の組成物。
【請求項５５】
前記対象が、動物またはヒトである、請求項５４に記載の組成物。